(57)【要約】【課題】乗降口近傍において平坦であった踏段が階段状に離れていく位置やその際の踏段の具体的な動き又はその逆の位置や動きを、利用者が容易に知ることができ、利用者の注意を喚起して躓きやよろめき等を未然に防止することが可能であるエスカレーター乗降口注意喚起装置を提供する。【解決手段】エスカレーター乗降口注意喚起装置において、無端状に連結され、エスカレーター本体１内を循環移動する複数の踏段２と、隣り合う踏段２同士の配置が階段状から平坦状又はその逆に変化する踏段２の移動経路の曲部に設けられ、往路側の踏段２の裏側から往路側の踏段２へと向けて可視光を発する発光手段８と、踏段２に設けられ、発光手段８の発する可視光を透過させる窓部と、踏段２の移動速度に同期して発光手段８を間欠的に発光させる発光制御手段と、を備える。【選択図】図１
2011153009.tif 000002
【特許請求の範囲】
【請求項１】
無端状に連結され、エスカレーター本体内を循環移動する複数の踏段と、
隣り合う前記踏段同士の配置が階段状から平坦状又は平坦状から階段状に変化する前記踏段の移動経路の曲部に設けられ、往路側の前記踏段の裏側から前記往路側の前記踏段へと向けて可視光を発する第１の発光手段と、
前記踏段に設けられ、前記第１の発光手段の発する可視光を透過させる窓部と、
前記踏段の移動速度に同期して前記第１の発光手段を間欠的に発光させる発光制御手段と、を備えたことを特徴とするエスカレーター乗降口注意喚起装置。
【請求項２】
前記発光制御手段は、前記踏段に設けられたセンサーと、前記曲部に設けられ前記センサーを検出して検出信号を出力する第１の受信機と、を有し、前記第１の受信機からの検出信号に基づいて前記第１の発光手段の発光タイミングを制御することを特徴とする請求項１に記載のエスカレーター乗降口注意喚起装置。
【請求項３】
乗降口の近傍において隣り合う前記踏段同士の配置が平坦状である前記踏段の移動経路の水平部に設けられ、往路側の前記踏段の裏側から前記往路側の前記踏段へと向けて可視光を発する第２の発光手段をさらに備え、
前記窓部は、前記第２の発光手段の発する可視光を透過させ、
前記発光制御手段は、前記踏段の移動速度に同期して前記第２の発光手段を間欠的に発光させることを特徴とする請求項１又は請求項２のいずれかに記載のエスカレーター乗降口注意喚起装置。
【請求項４】
前記発光制御手段は、前記踏段に設けられた前記センサーと、前記水平部に設けられ前記センサーを検出して検出信号を出力する第２の受信機と、を有し、前記第２の受信機からの検出信号に基づいて前記第２の発光手段の発光タイミングを制御することを特徴とする請求項３に記載のエスカレーター乗降口注意喚起装置。
【請求項５】
音声を鳴動させるスピーカと、
前記第１の受信機又は前記第２の受信機からの検出信号に基づいて、前記スピーカから所定の注意喚起音声を鳴動させる音声合成手段と、をさらに備えたことを特徴とする請求項２又は請求項４のいずれかに記載のエスカレーター乗降口注意喚起装置。
【請求項６】
前記窓部は、前記踏段のライザー部に設けられたライザー窓部を含むことを特徴とする請求項１から請求項５のいずれかに記載のエスカレーター乗降口注意喚起装置。
【請求項７】
前記窓部は、前記踏段の踏板部に設けられた踏板窓部を含むことを特徴とする請求項１から請求項６のいずれかに記載のエスカレーター乗降口注意喚起装置。
【発明の詳細な説明】
【技術分野】
【０００１】
この発明は、エスカレーター乗降口注意喚起装置に関するものである。
【背景技術】
【０００２】
従来におけるエスカレーター乗降口注意喚起装置においては、視覚的な表示により乗降口を明示して乗客の注意を喚起することを目的としたものとして、エスカレーターの踏段走行移動部の左右隣側に立設された欄干の下部スカートガードパネルの乗降口部分に、このスカートガードパネルの長手方向に沿って点滅灯や蛍光灯を配設し、この点滅灯や蛍光灯の光を誘導する透明プラスチック製デマコム（デマケーション・コム：境界クシ部）を踏段の境界部（端部）に配設したものが知られている（例えば、特許文献１参照）。
【先行技術文献】
【特許文献】
【０００３】
【特許文献１】特開平０７−１７２７５０号公報
【発明の概要】
【発明が解決しようとする課題】
【０００４】
一般にエスカレーターは、乗り口側の乗降口近傍においては隣り合う踏段同士の踏板がほぼ平坦となるように配置されており、これらの踏段が移動して乗降口から所定距離だけ離れた所定位置に達すると、当該位置からは踏板同士が次第に上下に離れていき階段状になっていく。
また逆に、踏板同士が上下に離れて階段状になっている踏段が移動して降り口側の乗降口へと近づくと、乗降口から所定距離だけ離れた所定位置において今度は踏板同士が次第に近づいていき、乗降口近傍において再び隣り合う踏段同士がほぼ平坦に配置される。
【０００５】
しかしながら、特許文献１に示された従来におけるエスカレーター乗降口注意喚起装置は、乗降板のクシ部に入り込む終端の踏段の位置やこの終端の踏段とスカートガードとの間の隙間を明示するのみであって、利用者にとって、乗降口近傍において平坦であった踏段が階段状に離れていく位置やその際の踏段の具体的な動き、又は、逆に階段状であった踏段が平坦状に近づいていく位置やその際の具体的な踏段の動きが判りにくいという課題がある。
また、このために、利用者は、踏段が階段状になる又は平坦状になる位置や動きが判らずに、躓いたりよろめいたり等して転倒してしまうおそれがあるという課題がある。
【０００６】
この発明は、このような課題を解決するためになされたもので、乗降口近傍において平坦であった踏段が階段状に離れていく位置やその際の踏段の具体的な動き、又は、逆に階段状であった踏段が平坦状に近づいていく位置やその際の具体的な踏段の動きを、利用者が容易に知ることができ、利用者の注意を喚起して躓きやよろめき等を未然に防止することが可能であるエスカレーター乗降口注意喚起装置を得るものである。
【課題を解決するための手段】
【０００７】
この発明に係るエスカレーター乗降口注意喚起装置においては、無端状に連結され、エスカレーター本体内を循環移動する複数の踏段と、隣り合う前記踏段同士の配置が階段状から平坦状又は平坦状から階段状に変化する前記踏段の移動経路の曲部に設けられ、往路側の前記踏段の裏側から前記往路側の前記踏段へと向けて可視光を発する第１の発光手段と、前記踏段に設けられ、前記第１の発光手段の発する可視光を透過させる窓部と、前記踏段の移動速度に同期して前記第１の発光手段を間欠的に発光させる発光制御手段と、を備えた構成とする。
【発明の効果】
【０００８】
この発明に係るエスカレーター乗降口注意喚起装置においては、乗降口近傍において平坦であった踏段が階段状に離れていく位置やその際の踏段の具体的な動き、又は、逆に階段状であった踏段が平坦状に近づいていく位置やその際の具体的な踏段の動きを、利用者が容易に知ることができ、利用者の注意を喚起して躓きやよろめき等を未然に防止することが可能であるという効果を奏する。
【図面の簡単な説明】
【０００９】
【図１】この発明の実施の形態１に係るエスカレーター乗降口注意喚起装置の構成を模式的に示す乗降口近傍の側面断面図である。
【図２】この発明の実施の形態１に係る図１において踏段を取り除いた状態を示す図１中矢印Ａが示す方向からの矢視図である。
【図３】この発明の実施の形態１に係る踏段のライザー部を示す斜視図である。
【図４】この発明の実施の形態１に係る踏段の踏板部を示す平面図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図４は、この発明の実施の形態１に係るもので、図１はエスカレーター乗降口注意喚起装置の構成を模式的に示す乗降口近傍の側面断面図、図２は図１において踏段を取り除いた状態を示す図１中矢印Ａが示す方向からの矢視図、図３は踏段のライザー部を示す斜視図、図４は踏段の踏板部を示す平面図である。
【００１２】
図において１は設置された上下階間で利用者を運搬するエスカレーター本体であり、このエスカレーター本体１の内部では、利用者が搭乗する踏段２が無端状に連結されて循環移動している。
この踏段２の（往路側の）移動経路は、上下の乗降口近傍において隣り合う踏段２の踏板同士がほぼ平坦に配置される上水平部及び下水平部、これら上下の水平部の間で踏段２が階段状に配置される傾斜部、並びに、傾斜部の上下端と上下の水平部とを接続し踏段２が階段状から平坦状（又はその逆）に遷移する上曲部及び下曲部、から構成されている。
【００１３】
エスカレーター本体１の左右両側には欄干３が立設されており、この欄干３の外周には踏段２と同期して循環移動する無端状の移動手摺４が設けられている。
また、欄干３の下端部には踏段２の左右両側に沿うようにスカートガード５が取り付けられている。
【００１４】
そして、当該エスカレーターの上階側及び下階側の乗降口には、乗降口の床板を構成する乗降板６が設けられており、この乗降板６の踏段側の端部には、クシ部６ａが踏段側へと下る緩傾斜がつけられて取り付けられている。そして、このクシ部６ａの踏段側の端部には、踏段２の踏板に設けられた複数の踏板溝に緩係合する複数のクシ歯が設けられている。
【００１５】
それぞれの踏段２のライザー部下端には踏段軸２ａが設けられており、この踏段軸２ａの両端には一対の追従ローラ２ｂが回動自在に設けられている。そして、エスカレーター本体１の内部には一対の追従レール７が設けられており、追従ローラ２ｂがこの追従レール７上を転動することにより、踏段２は所定の経路上を所定の姿勢で循環移動するように案内される。
８は、エスカレーター本体１の基本的枠組を構成する図示しないトラスを構成する部材のうち左右の主トラス間に架設された複数のトラスアングルである。
【００１６】
全ての各踏段２の踏段軸２ａの所定位置には、センサー９（発信機）がそれぞれ取り付けられている。
そして、これらのセンサー９を検出するための第１の受信機１０ａ及び第２の受信機１０ｂが、トラスアングル８の、踏段２の循環移動時において各踏段２の踏段軸２ａに設けられたセンサー９と対向する所定の位置に取り付けられている。
【００１７】
より具体的には、踏段２が階段状から平坦状に（又はその逆に平坦状から階段状に）遷移する箇所である踏段２の移動経路の上曲部及び下曲部におけるトラスアングル８に、第１の受信機１０ａが取り付けられている。
そして、踏段２の移動経路の上水平部及び下水平部におけるトラスアングル８のうち、それぞれ乗降口に最も近く乗降板６のクシ部６ａの近傍に位置するトラスアングル８に、第２の受信機１０ｂが取り付けられている。
これらの第１の受信機１０ａ及び第２の受信機１０ｂは、これら受信機の近傍の所定の受信範囲を踏段２の踏段軸２ａに設けられたセンサー９が通過したことを検出すると検出信号を出力する。
【００１８】
踏段２の移動経路の上水平部及び下水平部並びに上曲部及び下曲部に配置されたトラスアングル８のそれぞれには、フラッシュライト１１が取り付けられている。ここでは、１つのトラスアングル８につき３つのフラッシュライト１１が取り付けられており、これら３つで１組のフラッシュライト１１の各組は、踏段２のセンサー９が第１の受信機１０ａ又は第２の受信機１０ｂの検出範囲に位置した時点での各踏段２にそれぞれに対応して対向するように配置される。
そして、これらのフラッシュライト１１は往路側の踏段２の裏側から踏段２へと向けて瞬間的に可視光を発する発光手段を構成している。
【００１９】
また、これらのフラッシュライト１１の発光タイミングは、第１の受信機１０ａ及び第２の受信機１０ｂから検出信号が出力されると発光するように制御される。
より詳しくは、踏段２の移動経路の上水平部及び上曲部に配設された受信機から出力された検出信号に基づいて、上水平部及び上曲部に配設されたフラッシュライト１１の発光タイミングが制御され、踏段２の移動経路の下水平部及び下曲部に配設された受信機から出力された検出信号に基づいて、下水平部及び下曲部に配設されたフラッシュライト１１の発光タイミングが制御される。
こうして、踏段２のセンサー９並びに第１の受信機１０ａ及び第２の受信機１０ｂは、踏段２の移動速度に同期して、発光手段であるフラッシュライト１１を間欠的に発光させる発光制御手段を構成している。
【００２０】
踏段２のライザー部には、フラッシュライト１１の発した光を透過するここでは例えばアクリル板からなるライザー窓部１２ａが設けられている。また、踏段２の踏板部には、フラッシュライト１１の発した光を透過する同じくここではアクリル板からなる踏板窓部１２ｂが設けられている。
これらの窓部は、１つのトラスアングル８につき３つずつフラッシュライト１１が取り付けられていることに対応して、１つの踏段２につきライザー窓部１２ａは３つずつ、踏板窓部１２ｂは６つずつ設けられている。
【００２１】
また、スカートガード５の、踏段２の移動経路の上水平部及び下水平部並びに上曲部及び下曲部にあたる箇所には、音声を鳴動させるスピーカ１３が所定の間隔で設置されている。
これらのスピーカ１３は、図示しない音声合成装置による制御の下、所定の注意喚起音声、例えば「段差が発生します（無くなります）。足元にご注意下さい。」等、を鳴動させるものであり、この音声合成装置は第１の受信機１０ａ及び第２の受信機１０ｂから検出信号が出力されるとスピーカ１３から注意喚起音声を鳴動させる。
【００２２】
このように構成されたエスカレーター乗降口注意喚起装置において、上昇運転時には、まず乗り口側である下階側の乗降板６のクシ部６ａから出てくる踏段２の踏段軸２ａに設けられたセンサー９が、下水平部に配設された第２の受信機１０ｂにより検出されると、この下水平部の第２の受信機１０ｂから検出信号が出力される。
そして、この下水平部の第２の受信機１０ｂからの検出信号に基づいて、踏段２の移動経路の下水平部及び下曲部に配設されたフラッシュライト１１が瞬間的に発光し、このフラッシュライト１１からの光は踏段２のライザー窓部１２ａ及び踏板窓部１２ｂを通して当該エスカレーターの利用者に視認される。
【００２３】
ここで、各踏段２のセンサー９が第２の受信機１０ｂの受信範囲を通過する度に検出信号が出力されてフラッシュライト１１が発光するため、１つの踏段２の通過につき１回フラッシュライト１１が発光することとなり、すなわち、フラッシュライト１１の間欠的な発光タイミングは踏段２の移動速度に同期したものとなる。
【００２４】
また、移動経路の下曲部を通過する踏段２のセンサー９が、下曲部に配設された第１の受信機１０ａにより検出されると、この下曲部の第１の受信機１０ａから検出信号が出力される。
そして、この下曲部の第１の受信機１０ａからの検出信号に基づいて、踏段２の移動経路の下水平部及び下曲部に配設されたフラッシュライト１１が踏段２の移動速度に同期して発光し、このフラッシュライト１１からの光は踏段２のライザー窓部１２ａ及び踏板窓部１２ｂを通して当該エスカレーターの利用者に視認される。
【００２５】
さらに、今度は降り口側がある上階側において、移動経路の上曲部を通過する踏段２のセンサー９が、上曲部に配設された第１の受信機１０ａにより検出されると、この上曲部の第１の受信機１０ａから検出信号が出力される。
そして、この上曲部の第１の受信機１０ａからの検出信号に基づいて、踏段２の移動経路の上水平部及び上曲部に配設されたフラッシュライト１１が踏段２の移動速度に同期して発光し、このフラッシュライト１１からの光は踏段２のライザー窓部１２ａ及び踏板窓部１２ｂを通して当該エスカレーターの利用者に視認される。
【００２６】
また、降り口側である上階側の乗降板６のクシ部６ａへと入り込む踏段２のセンサー９が、上水平部に配設された第２の受信機１０ｂにより検出されると、この上水平部の第２の受信機１０ｂから検出信号が出力される。
そして、この上水平部の第２の受信機１０ｂからの検出信号に基づいて、踏段２の移動経路の上水平部及び上曲部に配設されたフラッシュライト１１が踏段２の移動速度に同期して発光し、このフラッシュライト１１からの光は踏段２のライザー窓部１２ａ及び踏板窓部１２ｂを通して当該エスカレーターの利用者に視認される。
【００２７】
このようにして、上昇運転時において乗り口近傍の下水平部及びこの下水平部から踏段２が階段状に遷移する下曲部の踏段２は、その移動速度に同期して、ライザー窓部１２ａ及び踏板窓部１２ｂから光が発せられるとともに、降り口近傍の上水平部及びこの上水平部へと向けて踏段２が階段状から平坦状に遷移する上曲部の踏段２は、その移動速度に同期して、ライザー窓部１２ａ及び踏板窓部１２ｂから光が発せられる。
【００２８】
一方、下降運転時には、まず乗り口側である上階側の乗降板６のクシ部６ａから出てくる踏段２のセンサー９が、上水平部に配設された第２の受信機１０ｂにより検出されると、この上水平部の第２の受信機１０ｂから検出信号が出力される。
そして、この上水平部の第２の受信機１０ｂからの検出信号に基づいて、踏段２の移動経路の上水平部及び上曲部に配設されたフラッシュライト１１が踏段２の移動速度に同期して発光し、このフラッシュライト１１からの光は踏段２のライザー窓部１２ａ及び踏板窓部１２ｂを通して当該エスカレーターの利用者に視認される。
【００２９】
また、移動経路の上曲部を通過する踏段２のセンサー９が、上曲部に配設された第１の受信機１０ａにより検出されると、この上曲部の第１の受信機１０ａから検出信号が出力される。
そして、この上曲部の第１の受信機１０ａからの検出信号に基づいて、踏段２の移動経路の上水平部及び上曲部に配設されたフラッシュライト１１が踏段２の移動速度に同期して発光し、このフラッシュライト１１からの光は踏段２のライザー窓部１２ａ及び踏板窓部１２ｂを通して当該エスカレーターの利用者に視認される。
【００３０】
さらに、今度は降り口側がある下階側において、移動経路の下曲部を通過する踏段２のセンサー９が、下曲部に配設された第１の受信機１０ａにより検出されると、この下曲部の第１の受信機１０ａから検出信号が出力される。
そして、この下曲部の第１の受信機１０ａからの検出信号に基づいて、踏段２の移動経路の下水平部及び下曲部に配設されたフラッシュライト１１が踏段２の移動速度に同期して発光し、このフラッシュライト１１からの光は踏段２のライザー窓部１２ａ及び踏板窓部１２ｂを通して当該エスカレーターの利用者に視認される。
【００３１】
また、降り口側である下階側の乗降板６のクシ部６ａへと入り込む踏段２のセンサー９が、下水平部に配設された第２の受信機１０ｂにより検出されると、この下水平部の第２の受信機１０ｂから検出信号が出力される。
そして、この下水平部の第２の受信機１０ｂからの検出信号に基づいて、踏段２の移動経路の下水平部及び下曲部に配設されたフラッシュライト１１が踏段２の移動速度に同期して発光し、このフラッシュライト１１からの光は踏段２のライザー窓部１２ａ及び踏板窓部１２ｂを通して当該エスカレーターの利用者に視認される。
【００３２】
このようにして、下降運転時において乗り口近傍の上水平部及びこの上水平部から踏段２が階段状に遷移する上曲部の踏段２は、その移動速度に同期して、ライザー窓部１２ａ及び踏板窓部１２ｂから光が発せられるとともに、降り口近傍の下水平部及びこの下水平部へと向けて踏段２が階段状から平坦状に遷移する下曲部の踏段２は、その移動速度に同期して、ライザー窓部１２ａ及び踏板窓部１２ｂから光が発せられる。
【００３３】
加えて、この上昇及び下降運転の際、第１の受信機１０ａ及び第２の受信機１０ｂが踏段２のセンサー９の通過を検出して検出信号を出力すると、この検出信号に基づく音声合成装置の制御の下スピーカ１３から所定の注意喚起音声が鳴動される。
こうして、利用者が乗降する上下水平部及び隣り合う踏段２同士の相対位置が変化する上下曲部において、踏段２の窓部を介した光による視覚的な注意喚起が行われるとともに、スピーカ１３から鳴動される音声による聴覚的な注意喚起が併せて行われる。
【００３４】
なお、以上において、第１の受信機１０ａ及び第２の受信機１０ｂが踏段２に設けられたセンサー９の通過を検出する方式については、センサーと受信機とが接触して検出が行われる接触方式でもよいし、センサーと受信機とが接触することなく検出が行われる非接触方式でもよい。
接触方式としては例えばセンサー９をレバー状の部材とし受信機をこのレバー状部材が当接すると検出信号を出力するスイッチ部材とする等が考えられ、非接触方式としては例えば電磁波を利用して検出する方式等が考えられる。
【００３５】
また、ここでは、第１の受信機１０ａ及び第２の受信機１０ｂのいずれからの検出信号によっても、水平部及び曲部のフラッシュライト１１が発光するようにしたが、フラッシュライト１１のうち、第１の受信機１０ａには曲部に配設されたフラッシュライト１１（以下、第１のフラッシュライトといい、これら第１のフラッシュライトは第１の発光手段を構成する）を、第２の受信機１０ｂには水平部に配設されたフラッシュライト１１（以下、第２のフラッシュライトといい、これら第２のフラッシュライトは第２の発光手段を構成する）を、それぞれ対応させて発光させるようにしてもよい。
【００３６】
この場合、踏段２の移動経路の下水平部に配設された第２の受信機１０ｂが踏段２のセンサー９を検出すると、この下水平部の第２の受信機１０ｂから検出信号が出力される。そして、この下水平部の第２の受信機１０ｂから検出信号に基づいて、下水平部に配設された第２のフラッシュライトのみが発光する。
そして、下水平部に配設された第２のフラッシュライトからの光は、踏段２の主に踏板窓部１２ｂを通して当該エスカレーターの利用者に視認される。
【００３７】
また、踏段２の移動経路の下曲部に配設された第１の受信機１０ａが踏段２のセンサー９を検出すると、この下曲部の第１の受信機１０ａから検出信号が出力される。そして、この下曲部の第１の受信機１０ａから検出信号に基づいて、下曲部に配設された第１のフラッシュライトのみが発光する。
そして、下曲部に配設された第１のフラッシュライトからの光は、踏段２の主にライザー窓部１２ａを通して当該エスカレーターの利用者に視認される。
【００３８】
同様に、踏段２の移動経路の上曲部に配設された第１の受信機１０ａが踏段２のセンサー９を検出すると、この上曲部の第１の受信機１０ａから検出信号が出力される。そして、この上曲部の第１の受信機１０ａから検出信号に基づいて、上曲部に配設された第１のフラッシュライトのみが発光する。
また、踏段２の移動経路の上水平部に配設された第２の受信機１０ｂが踏段２のセンサー９を検出すると、この上水平部の第２の受信機１０ｂから検出信号が出力される。そして、この上水平部の第２の受信機１０ｂから検出信号に基づいて、上水平部に配設された第２のフラッシュライトのみが発光する。
【００３９】
以上のように構成されたエスカレーター乗降口注意喚起装置は、無端状に連結され、エスカレーター本体内を循環移動する複数の踏段と、隣り合う踏段同士の配置が階段状から平坦状又は平坦状から階段状に変化する踏段の移動経路の曲部に設けられ、往路側の踏段の裏側から往路側の踏段へと向けて可視光を発する第１の発光手段と、踏段に設けられ、第１の発光手段の発する可視光を透過させる窓部と、踏段の移動速度に同期して第１の発光手段を間欠的に発光させる発光制御手段と、を備えたものである。
【００４０】
このため、乗降口近傍において平坦であった踏段が階段状に離れていく位置やその際の踏段の具体的な動き、又は、逆に階段状であった踏段が平坦状に近づいていく位置やその際の具体的な踏段の動きを、利用者が容易に知ることができ、利用者の注意を喚起して躓きやよろめき等を未然に防止することが可能である。
【００４１】
また、発光制御手段は、踏段に設けられたセンサーと、曲部に設けられセンサーを検出して検出信号を出力する第１の受信機と、を有し、第１の受信機からの検出信号に基づいて第１の発光手段の発光タイミングを制御するものであるため、踏段の移動速度に同期して第１の発光手段を間欠的に発光させる制御を簡潔な構成により実現することができる。
【００４２】
そして、乗降口の近傍において隣り合う踏段同士の配置が平坦状である踏段の移動経路の水平部に設けられ、往路側の踏段の裏側から往路側の踏段へと向けて可視光を発する第２の発光手段をさらに備え、踏段の窓部は、第２の発光手段の発する可視光を透過させ、発光制御手段は、踏段の移動速度に同期して第２の発光手段を間欠的に発光させることにより、乗降口において移動する踏段に乗り降りする利用者へ注意喚起することができる。
【００４３】
また、この際に、発光制御手段は、踏段に設けられたセンサーと、水平部に設けられセンサーを検出して検出信号を出力する第２の受信機と、を有し、第２の受信機からの検出信号に基づいて第２の発光手段の発光タイミングを制御するようにすることにより、踏段の移動速度に同期して第１の発光手段を間欠的に発光させる制御を簡潔な構成により実現することが可能である。
【００４４】
加えて、音声を鳴動させるスピーカと、第１の受信機又は第２の受信機からの検出信号に基づいて、スピーカから所定の注意喚起音声を鳴動させる音声合成手段と、をさらに備えたことにより、踏段の窓部を介した光による視覚的な注意喚起とともに、スピーカから鳴動される音声による聴覚的な注意喚起を併せて行うことができ、注意喚起効果をさらに向上させることが可能である。
【００４５】
そしてさらに、踏段の窓部は、踏段のライザー部に設けられたライザー窓部を含むものであるため、特にエスカレーターの上昇運転時において、利用者はこのライザー窓部を通して発光手段の発する光を視認することができ、曲部における踏段の動きがより判りやすくなる。
【符号の説明】
【００４６】
１    エスカレーター本体
２    踏段
２ａ  踏段軸
２ｂ  追従ローラ
３    欄干
４    移動手摺
５    スカートガード
６    乗降板
６ａ  クシ部
７    追従レール
８    トラスアングル
９    センサー
１０ａ  第１の受信機
１０ｂ  第２の受信機
１１    フラッシュライト
１２ａ  ライザー窓部
１２ｂ  踏板窓部
１３    スピーカ
【図１】
2011153009.tif 000003
【図２】
2011153009.tif 000004
【図３】
2011153009.tif 000005
【図４】
2011153009.tif 000006